(57)【要約】      （修正有）【課題】光って見えてしまう箇所をわざと光らせることで、見栄えを向上させることが可能な表示装置を提供する。【解決手段】窓部１０ａを有する表示板１０と、表示板１０を照明する第２の光源９と、表示板１０の背面側であって窓部１０ａの内径より径の大きい開口部１２ａを有した導光体１２と、導光体１２の内周側に配置される遮光部材１３と、導光体１２が保持されるケース体１１と、を備えた表示装置において、遮光部材１３は、その内壁に拡散処理部を有し、拡散処理部の上面に加飾部を有していることにより、窓部１０ａ及び開口部１２ａから表示装置の内部が見えてしまっても、指針６から漏れる光は拡散処理部に拡散されることで、光すぎてしまうことを防ぐことができ、加飾部によって斬新な見栄えを得ることができる。【選択図】図２
2015064202.tif 000002
【特許請求の範囲】
【請求項１】
窓部を有する表示板と、
前記表示板を照明する光源と、
前記表示板の背面側であって、前記窓部の内径より径の大きい開口部を有した導光体と、
前記導光体の内周側に配置される遮光部材と、
前記導光体が保持されるケース体と、を備えた表示装置において、
前記遮光部材は、その内壁に拡散処理部を有し、前記拡散処理部の上面に加飾部を有していることを特徴とする表示装置。
【請求項２】
前記加飾部は、前記導光体を導光される光が通過するスリット部であることを特徴とする請求項１に記載の表示装置。
【請求項３】
前記スリット部は、複数形成され、前記光源に近づくにつれてその幅が小さくなることを特徴とする請求項１または２に記載の表示装置。
【請求項４】
前記加飾部は、鏡面構造を有していることを特徴とする請求項１から３のいずれか１項に記載の表示装置。
【発明の詳細な説明】
【技術分野】
【０００１】
本発明は、自動車等に搭載される表示装置に関するものである。
【背景技術】
【０００２】
従来の表示装置は、特許文献１に開示されているように、光源と、目盛部が形成された表示板と、表示板の目盛部に沿って設けられた略リング状の導光体を備え、背後に設けられた光源の光によって発光する表示装置が知られている。  この表示装置は、光源と、目盛部が形成された表示板と、目盛部の背面に沿って配置されるリング状の導光体と、を備え、導光体の内側開口部より指針を文字板外周に向けて迂回させる構造となっている。
【先行技術文献】
【特許文献】
【０００３】
【特許文献１】特開２０１１―１４５３０４号公報
【発明の概要】
【発明が解決しようとする課題】
【０００４】
上記特許文献１の様な表示装置においては、導光体から漏れ出る光によって、周辺の部材が光り過ぎてしまうという問題点があり、導光体に遮光部材を沿わせて配置することで漏光を防ぐという手法が一般的であるが、遮光部材の内壁に指針から漏れ出る光が映り、所望しない箇所が光ってしまうという問題点があった。
【課題を解決するための手段】
【０００５】
そこで本発明は、窓部を有する表示板と、
前記表示板を照明する光源と、
前記表示板の背面側であって、前記窓部の内径より径の大きい開口部を有した導光体と、
前記導光体の内周側に配置される遮光部材と、
前記導光体が保持されるケース体と、を備えた表示装置において、
前記遮光部材は、その内壁に拡散処理部を有しているものである。
【０００６】
また本発明は、前記遮光部材は、前記導光体を導光される光が通過するスリット部を有しているものである。
【０００７】
また本発明は、前記スリット部は、複数形成され、前記光源に近づくにつれてその幅が小さくなるものである。
【０００８】
また本発明は、前記加飾部は、鏡面構造を有しているものである。
【発明の効果】
【０００９】
本発明によれば、光って見えてしまう箇所をわざと光らせることで、見栄えを向上させることが可能な表示装置を提供することができる。
【図面の簡単な説明】
【００１０】
【図１】本発明の第１実施形態を示す表示装置の正面図。
【図２】同表示装置のＡ−Ａ断面図。
【図３】同表示装置のＢ−Ｂ断面図。
【図４】同表示装置の導光体と遮光部材の斜視図。
【図５】本発明の第２実施形態を示す表示装置のＢ−Ｂ断面図。
【図６】同表示装置の導光体と遮光部材の斜視図。
【発明を実施するための形態】
【００１１】
以下、本発明の第１の実施形態に係る表示装置を添付の図面を参照して具体的に説明する。
【００１２】
本実施形態の表示装置は、車両の速度を表示するものであり、液晶表示器からなる表示手段１と、駆動本体２と、アーム部３と指示部５とを備えた指針６と、指示部５を発光させる第１の光源７と、回路基板８と、この回路基板８に実装され,後述する表示板を照明する第２の光源９とを備えている。
【００１３】
また、表示装置は、表示手段１の表面側に配置された表示板１０と、表示手段１が保持されるケース体１１と、このケース体１１に保持される導光体１２と、この導光体１２の内周側に配置される遮光部材１３とを備えている。
【００１４】
表示手段１は、車両に関する情報などを表示するものである。車両に関する情報としては、経路誘導、車両に関する警告表示、また車両の外気温などを表示するものであって、例えば液晶表示素子を用いた液晶表示器である。
【００１５】
指針６は、アーム部３と指示部５とで構成されている。アーム部３は、合成樹脂からなり、表示手段１の外周を迂回するようにコ字状をしており、一端に指示部５を保持するとともに、他端で、駆動本体２の回転軸２１に装着されるものである。
【００１６】
指示部５は、アーム部３に固定され、アーム部３から表示手段１の中心方向とは反対側へ延設されている。そして、指示部５は、後述する表示板１０の指標部４を指示するものである。
【００１７】
表示板１０は、合成樹脂などの板材を圧空成形した絞り文字板からなり、湾曲状に設けられた指標部４が印刷され、表示手段１を透視するための窓部１０ａが設けられている。
【００１８】
ケース体１１は、遮光性の合成樹脂からなり、表示手段１、駆動本体２、指針６および導光体１２、遮光部材１３などを収納するものである。
【００１９】
導光体１２は、光透過性の合成樹脂から形成され、遮光部材１３に重ねて配置される。導光体１２の断面は、それぞれ形状がＬ字型の上面部１２１と下面部１２２とが接合されてコ字状となる。また、中央部分には、表示手段１が視認可能となるように、開口部１２ａが設けられている。
【００２０】
上面部１２１は、表示板１０に面した第１の平面部１２１ａと、第１の平面部１２１ａと連続して形成される第１の側面部１２１ｂと、第１の側面部１２１ｂと下面部１２２との接合箇所に第１の接合面１２１ｃと、後述する係合部１３１が組み付けられる組み付け溝１２１ｄを有している。
【００２１】
第１の平面部１２１ａは、遮光部材１３と面する側にシボ加工が施された拡散処理部１２１ｅを有している。
【００２２】
下面部１２２は、表示手段１の裏面側に位置する第２の平面部１２２ａと、第２の平面部１２２ａと連続して形成される第２の側面部１２２ｂと、第１の側面部１２１ｂと第２の側面部１２２ｂとの接合箇所に第２の接合面１２２ｃを有し、第１の接合面１２１ｃは、第２の接合面１２２ｃよりも幅広に形成されている。
【００２３】
第２の平面部１２２ａは、光源９からの光を受光する複数の受光部１２２ｆを有している。
【００２４】
遮光部材１３は、遮光性の合成樹脂からなり、導光体１２の内周側に配置される。遮光部材１３は、導光体１２の第１の接合面１２１ｃに設けられた組み付け溝１２１ｄに組み付けられる係合部１３１を有している。
【００２５】
また、第１の平面部１２１ａには、少なくとも１つの位置決め凹部１２１ｈを有し、遮光部材１３には、位置決め凹部１２１ｈに対応した位置決め凸部１３１ｈが設けられている。係止片１３２を左方向にスライドさせて切り欠き部１２１ｇと係合する際に、位置決め凹部１２１ｈが位置決め凸部１３１ｈに嵌合されることで、それ以上はスライドすることができずに位置決めされる。
【００２６】
また、遮光部材１３は、図４に示すように、その内壁の面にシボ加工が施された拡散処理部１３ａを有しており、その拡散処理部１３ａをくり抜くようにスリット部（加飾部）１３ｂが金型成形などによって形成されている。
【００２７】
スリット部１３ｂは、複数形成され、第２の光源９に近づくにつれてその幅が小さくなる。
【００２８】
このように、本実施形態では、窓部１０ａを有する表示板１０と、表示板１０を照明する第２の光源９と、表示板１０の背面側であって窓部１０ａの内径より径の大きい開口部１２ａを有した導光体１２と、導光体１２の内周側に配置される遮光部材１３と、導光体１２が保持されるケース体１１と、を備えた表示装置において、遮光部材１３は、その内壁に拡散処理部１３ａを有していることにより、窓部１０ａ及び開口部１２ａから表示装置の内部が見えてしまっても、指針６から漏れる光は拡散処理部１３ａに拡散されることで、光すぎてしまうことを防ぐことができる。
【００２９】
また、本実施形態では、遮光部材１３は、導光体１２を導光される光が通過するスリット部１３ｂを有していることによって、導光体１２を導光される光を遮光部材１３の内側に通過させることができるので、指針６の光が漏れる箇所であっても第２の光源９の光を表示させることで、新な部品を追加することなく斬新な見栄えの表示装置を提供することができる。
【００３０】
また、本実施形態では、スリット部１３ｂは、複数形成され、第２の光源９に近づくにつれてその幅が小さくなることによって、導光体１２を導光される光が遮光部材１３の内側に通過する輝度を調整することができるので、第２の光源９に近いスリット部１３ｂは幅を小さくするなどの輝度調整が可能となる。
【００３１】
以下、本発明の第２の実施形態に係る表示装置を添付の図面を参照して説明する。なお、第１の実施形態と共通する箇所は同一符号とする。
【００３２】
第１の実施形態では、加飾部がスリット部１３ｂである例を説明したが、加飾部は鏡面部１３ｃであってもよい。鏡面部１３Ｃは、金型表面を部分的に研磨などによって表面加工した金型により金型成形することで、遮光部材１３の内壁に鏡面が成形されている。
【００３３】
第２の実施形態の場合、拡散処理部１３ａと鏡面部１３ｃとでは、指針６から漏れた光を反射する反射率が異なるため、鏡面部１３ｃにて反射される光がより強く視認され、鏡面部１３ｃが浮かび上がったような立体感を表現できる。
【符号の説明】
【００３４】
１  液晶表示器（表示手段）
２  駆動本体
３  アーム部
４  指標部
５  指示部
６  指針
７  第１の光源
８  回路基板
９  第２の光源
１０  表示板
１１  ケース体
１２  導光体
１３  遮光部材
１３ａ  拡散処理部
１３ｂ  スリット部（加飾部）
１３ｃ  鏡面部（加飾部）
１２１上面部
１２１ａ  第１の平面部
１２１ｂ  第１の側面部
１２１ｃ  第１の接合部
１２１ｄ  組み付け溝
１２１ｅ  拡散処理部
１２１ｇ  切り欠き部
１２１ｈ  位置決め凹部
１２２  下面部
１２２ａ  第２の平面部
１２２ｂ  第２の側面部
１２２ｃ  第２の結合部
１２２ｆ  受光部
１３１  係合部
１３１ｈ  位置決め凸部
１３２  係止片
【図１】
2015064202.tif 000003
【図２】
2015064202.tif 000004
【図３】
2015064202.tif 000005
【図４】
2015064202.tif 000006
【図５】
2015064202.tif 000007
【図６】
2015064202.tif 000008
【手続補正書】
【提出日】平成25年10月8日(2013.10.8)
【手続補正１】
【補正対象書類名】明細書
【補正対象項目名】０００５
【補正方法】変更
【補正の内容】
【０００５】
そこで本発明は、窓部を有する表示板と、
前記表示板を照明する光源と、
前記表示板の背面側であって、前記窓部の内径より径の大きい開口部を有した導光体と、
前記導光体の内周側に配置される遮光部材と、
前記導光体が保持されるケース体と、を備えた表示装置において、
前記遮光部材は、その内壁に拡散処理部を有し、前記拡散処理部の上面に加飾部を有しているものである。